(57)【要約】【課題】、受信信号の位相に変動が生じた場合でも画像データの受信を適切に行えるファクシミリ受信端末、ファクシミリ送信端末、ファクシミリ通信方法および制御プログラムを得ること。【解決手段】ファクシミリ受信端末はモデム１１の復調した受信信号における特定区間で位相ジッタを測定する。復調不安定有無判別手段１３は、位相ジッタの測定値から受信信号の復調が不安定であるか否かを判別する。同期信号長情報作成手段１５は、受信信号の復調が不安定であると判別したか否かに応じて、異なる同期信号の送出時間長を指示する同期信号長情報を作成し、同期信号長情報通知手段１６がこれを送信端末に通知する。【選択図】図１
2010232768.tif 000002
【特許請求の範囲】
【請求項１】
送信端末から送られてくる送信信号を受信して復調するモデムと、
このモデムによって復調した受信信号における特定区間で位相ジッタを測定する位相ジッタ測定手段と、
この位相ジッタ測定手段の測定した位相ジッタの値から前記受信信号の復調が不安定であるか否かを判別する復調不安定有無判別手段と、
前記送信信号の一部として前記特定区間の後でかつ画像データの送信される区間の前に前記送信端末から送られてくる同期信号を用いて位相の同期をとる位相同期手段と、
前記復調不安定有無判別手段が前記受信信号の復調が不安定であると判別したか否かに応じて、異なる前記同期信号の送出時間長を前記送信端末に指示する同期信号長情報を作成する同期信号長情報作成手段と、
この同期信号長情報作成手段が作成した同期信号長情報を前記送信端末に通知する同期信号長情報通知手段
とを具備することを特徴とするファクシミリ受信端末。
【請求項２】
前記復調不安定有無判別手段は、前記位相ジッタ測定手段の測定した位相ジッタの値を前記モデムの特性および前記受信信号の通信速度に対応して予め定めた所定のしきい値と比較する比較手段を備え、この比較手段が前記所定のしきい値を超える位相ジッタが存在すると判断したとき前記受信信号の復調が不安定であると判断する手段であり、前記同期信号長情報作成手段は、前記復調不安定有無判別手段が前記受信信号の復調が不安定であると判別したとき、それ以外の判別をしたときの前記同期信号の送出時間長よりも長い送出時間長を指示する同期信号長情報を作成することを特徴とする請求項１記載のファクシミリ受信端末。
【請求項３】
前記復調不安定有無判別手段が前記受信信号の復調が不安定であると判別したとき、前記位相ジッタの値に応じて前記同期信号の送出時間長の指示内容を変化させることを特徴とする請求項２記載のファクシミリ受信端末。
【請求項４】
前記位相ジッタ測定手段による前記受信信号における位相ジッタの測定およびこれを基にした前記同期信号長情報通知手段による通知は、新たに所定単位の画像データの送信が開始されるたびに繰り返されることを特徴とする請求項１記載のファクシミリ受信端末。
【請求項５】
画像データの送信について改ページが行われるとき、あるいは画像データの再送が行われるとき、前記位相ジッタの測定およびこれを基にした前記同期信号長情報通知手段による通知が繰り返されることを特徴とする請求項４記載のファクシミリ受信端末。
【請求項６】
受信端末が受信信号の同期をとるための同期信号を画像データの送信直前に送出する同期信号送出手段と、
前記受信端末から前記受信信号の位相ジッタの程度に応じて前記同期信号の送出時間長を指示する同期信号長情報が送られてきたときこれを受信する同期信号長情報受信手段と、
この同期信号長情報受信手段が前記同期信号長情報を受信したとき、これによって指示された時間長に前記同期信号の送出時間長を設定する同期信号長設定手段
とを具備することを特徴とするファクシミリ送信端末。
【請求項７】
送信端末から送られてくる送信信号を受信して復調する復調ステップと、
この復調ステップで復調した受信信号における特定区間で位相ジッタを測定する位相ジッタ測定ステップと、
この位相ジッタ測定ステップで測定した位相ジッタの値から前記受信信号の復調が不安定であるか否かを判別する復調不安定有無判別ステップと、
前記送信信号の一部として前記特定区間の後でかつ画像データの送信される区間の前に前記送信端末から送られてくる同期信号を用いて位相の同期をとる位相同期ステップと、
前記復調不安定有無判別ステップで前記受信信号の復調が不安定であると判別したか否かに応じて、異なる前記同期信号の送出時間長を前記送信端末に指示する同期信号長情報を作成する同期信号長情報作成ステップと、
この同期信号長情報作成ステップで作成した同期信号長情報を前記送信端末に通知する同期信号長情報通知ステップ
とを具備することを特徴とするファクシミリ通信方法。
【請求項８】
前記復調不安定有無判別ステップでは、前記位相ジッタ測定ステップで測定した位相ジッタの値を前記復調ステップで復調に使用するモデムの特性および前記受信信号の通信速度に対応して予め定めた所定のしきい値と比較することで前記受信信号の復調が不安定であるか否かを判別することを特徴とする請求項７記載のファクシミリ通信方法。
【請求項９】
コンピュータに、
送信端末から送られてくる送信信号を受信して復調する復調処理と、
この復調処理で復調した受信信号における特定区間で位相ジッタを測定する位相ジッタ測定処理と、
この位相ジッタ測定処理で測定した位相ジッタの値から前記受信信号の復調が不安定であるか否かを判別する復調不安定有無判別処理と、
前記送信信号の一部として前記特定区間の後でかつ画像データの送信される区間の前に前記送信端末から送られてくる同期信号を用いて位相の同期をとる位相同期処理と、
前記復調不安定有無判別処理で前記受信信号の復調が不安定であると判別したか否かに応じて、異なる前記同期信号の送出時間長を前記送信端末に指示する同期信号長情報を作成する同期信号長情報作成処理と、
この同期信号長情報作成処理で作成した同期信号長情報を前記送信端末に通知する同期信号長情報通知処理
とを実行させることを特徴とするファクシミリ通信制御プログラム。
【請求項１０】
前記復調不安定有無判別処理では、前記位相ジッタ測定処理で測定した位相ジッタの値を前記復調処理で復調に使用するモデムの特性および前記受信信号の通信速度に対応して予め定めた所定のしきい値と比較することで前記受信信号の復調が不安定であるか否かを判別することを特徴とする請求項９記載のファクシミリ通信制御プログラム。
【発明の詳細な説明】
【技術分野】
【０００１】
本発明は、ファクシミリ通信において画像データの信号受信の安定性を図ったファクシミリ受信端末、ファクシミリ送信端末、ファクシミリ通信方法およびファクシミリ通信制御プログラムに関する。
【背景技術】
【０００２】
ファクシミリ通信では、ファクシミリ送信端末とファクシミリ受信端末の双方の通信特性や、これらの端末を接続する回線の状況に応じて画像データの通信可能な速度が異なる。このため、ファクシミリ通信では画像データの伝送を行う前にトレーニング期間を設定して通信方式や通信速度の調整を行うようになっている。すなわち、回線の状況が悪い場合やファクシミリ受信端末の通信能力がファクシミリ送信端末よりも低いような場合には、両端末間で通信が可能な通信方式や通信速度に設定し、この後に画像データの送信を行う。
【０００３】
ところで、トレーニング期間には、ファクシミリ送信端末側からオール「０」の信号が送出され、ファクシミリ受信端末がこのオール「０」の信号の受信に成功するか否かで通信方式と通信速度の適否が判別される。そして、オール「０」の信号の受信に成功しなかった場合には、一段階通信速度を落とす等の通信形態の切り替えが行われて、トレーニングが成功するまで同様の制御が繰り返される。
【０００４】
ところが、このような手法のみで通信方式や通信速度の調整を行うと、トレーニング期間にファクシミリ受信端末がたまたまオール「０」の信号を受信すると、トレーニングが成功したとして、そのときの通信方式や通信速度でファクシミリ通信が行われることになる。この結果、トレーニング期間に続く画像データの通信期間において受信品質に問題が発生する場合があった。特に、画像データの伝送時に受信品質の劣化でエラーフレームが発生すると、ＥＣＭ（Error Code Modulation）方式の場合、このフレームの再送信が行われるので、これにより伝送時間が長時間化するという問題があった。また、ＥＣＭを使用しないＧ３モード通信でも、画像データのラインが正常に受信できないために、通信異常なることや、伝送した画像のラインが抜けるという問題があった。
【０００５】
そこで、トレーニング期間に続く画像データの通信期間にファクシミリ受信端末のモデムが受信している画像データの位相や振幅の変動を定量的に検出することが本発明の関連技術として提案されている（たとえば特許文献１参照）。この関連技術によれば、画像データの位相や振幅の変動を検出した結果に応じて、受信の継続の可否を決定したり、受信を継続する場合に受信速度を低下させることにしている。
【先行技術文献】
【特許文献】
【０００６】
【特許文献１】特開平０７−２２１９５６号公報（第０００８段落、第０００９段落、図１）
【発明の概要】
【発明が解決しようとする課題】
【０００７】
ところが、この関連技術によると、画像データの位相や振幅の変動の検出結果に応じてファクシミリ通信の通信速度を低下させる制御が行われた場合、通信時間が長時間化するという問題がある。特にファクシミリ通信で複数枚の原稿の通信が順に行われるような場合には、通信速度が時間の経過と共に段階的に低下していく。このため、ページの後の方の原稿の通信時間が極めて長時間化する場合がある。これにより、先の画像データのフレームの再送の場合と同様に原稿の迅速な通信が困難になり、また通信経費が嵩むといった問題が生じる。
【０００８】
そこで本発明の目的は、受信信号の位相に変動が生じた場合でも画像データの受信を適切に行えるようにしたファクシミリ受信端末、ファクシミリ送信端末、ファクシミリ通信方法および制御プログラムを提供することにある。
【課題を解決するための手段】
【０００９】
本発明では、（イ）送信端末から送られてくる送信信号を受信して復調するモデムと、（ロ）このモデムによって復調した受信信号における特定区間で位相ジッタを測定する位相ジッタ測定手段と、（ハ）この位相ジッタ測定手段の測定した位相ジッタの値から前記した受信信号の復調が不安定であるか否かを判別する復調不安定有無判別手段と、（ニ）前記した送信信号の一部として前記した特定区間の後でかつ画像データの送信される区間の前に前記した送信端末から送られてくる同期信号を用いて位相の同期をとる位相同期手段と、（ホ）前記した復調不安定有無判別手段が前記した受信信号の復調が不安定であると判別したか否かに応じて、異なる前記した同期信号の送出時間長を前記した送信端末に指示する同期信号長情報を作成する同期信号長情報作成手段と、（へ）この同期信号長情報作成手段が作成した同期信号長情報を前記した送信端末に通知する同期信号長情報通知手段とをファクシミリ受信端末が具備する。
【００１０】
また、本発明では、（イ）受信端末が受信信号の同期をとるための同期信号を画像データの送信直前に送出する同期信号送出手段と、（ロ）前記した受信端末から前記した受信信号の位相ジッタの程度に応じて前記した同期信号の送出時間長を指示する同期信号長情報が送られてきたときこれを受信する同期信号長情報受信手段と、（ハ）この同期信号長情報受信手段が前記した同期信号長情報を受信したとき、これによって指示された時間長に前記した同期信号の送出時間長を設定する同期信号長設定手段とをファクシミリ送信端末が具備する。
【００１１】
更に、本発明は、（イ）送信端末から送られてくる送信信号を受信して復調する復調ステップと、（ロ）この復調ステップで復調した受信信号における特定区間で位相ジッタを測定する位相ジッタ測定ステップと、（ハ）この位相ジッタ測定ステップで測定した位相ジッタの値から前記した受信信号の復調が不安定であるか否かを判別する復調不安定有無判別ステップと、（ニ）前記した送信信号の一部として前記した特定区間の後でかつ画像データの送信される区間の前に前記した送信端末から送られてくる同期信号を用いて位相の同期をとる位相同期ステップと、（ホ）前記した復調不安定有無判別ステップで前記した受信信号の復調が不安定であると判別したか否かに応じて、異なる前記した同期信号の送出時間長を前記した送信端末に指示する同期信号長情報を作成する同期信号長情報作成ステップと、（へ）この同期信号長情報作成ステップで作成した同期信号長情報を前記した送信端末に通知する同期信号長情報通知ステップとをファクシミリ通信方法が具備する。
【００１２】
更にまた、本発明では、コンピュータに、ファクシミリ通信制御プログラムとして、（イ）送信端末から送られてくる送信信号を受信して復調する復調処理と、（ロ）この復調処理で復調した受信信号における特定区間で位相ジッタを測定する位相ジッタ測定処理と、（ハ）この位相ジッタ測定処理で測定した位相ジッタの値から前記した受信信号の復調が不安定であるか否かを判別する復調不安定有無判別処理と、（ニ）前記した送信信号の一部として前記した特定区間の後でかつ画像データの送信される区間の前に前記した送信端末から送られてくる同期信号を用いて位相の同期をとる位相同期処理と、（ホ）前記した復調不安定有無判別処理で前記した受信信号の復調が不安定であると判別したか否かに応じて、異なる前記した同期信号の送出時間長を前記した送信端末に指示する同期信号長情報を作成する同期信号長情報作成処理と、（へ）この同期信号長情報作成処理で作成した同期信号長情報を前記した送信端末に通知する同期信号長情報通知処理とを実行させることを特徴としている。
【発明の効果】
【００１３】
以上説明したように本発明によれば、送信端末が画像データを送信する前に位相ジッタの測定を行い、位相同期を行うための同期信号が受信端末に送られてくる時間長を位相ジッタの程度に応じて変更することにした。これにより、画像データの送信中に位相ジッタによって受信信号の復調が不安定となるのを解消することができる。
【図面の簡単な説明】
【００１４】
【図１】本発明のファクシミリ受信端末のクレーム対応図である。
【図２】本発明のファクシミリ送信端末のクレーム対応図である。
【図３】本発明のファクシミリ通信方法のクレーム対応図である。
【図４】本発明のファクシミリ通信制御プログラムのクレーム対応図である。
【図５】本発明の実施の形態によるファクシミリ通信システムのシステム構成図である。
【図６】本実施の形態のファクシミリ送信端末のブロック図である。
【図７】本実施の形態のファクシミリ受信端末のブロック図である。
【図８】本実施の形態のファクシミリ通信システムにおける通信の原理を示す原理図である。
【図９】一般的なファクシミリ伝送手順の中に本実施の形態の制御を追加した流れを示した説明図である。
【図１０】本実施の形態における第１の制御区間の処理の変更内容を示した説明図である。
【図１１】本実施の形態における第２の制御区間の処理の変更内容を示した説明図である。
【図１２】本実施の形態のファクシミリ受信端末における同期信号長情報の作成および送信処理の様子を表わした流れ図である。
【図１３】本実施の形態で標準同期信号を示す同期信号長情報を受信するファクシミリ送信端末が画像データを送信するときの信号形態を示す説明図である。
【図１４】本実施の形態で拡張同期信号を示す同期信号長情報を受信するファクシミリ送信端末が画像データを送信するときの信号形態を示す説明図である。
【発明を実施するための形態】
【００１５】
図１は、本発明のファクシミリ受信端末のクレーム対応図を示したものである。本発明のファクシミリ受信端末１０は、モデム１１と、位相ジッタ測定手段１２と、復調不安定有無判別手段１３と、位相同期手段１４と、同期信号長情報作成手段１５と、同期信号長情報通知手段１６を備えている。ここで、モデム１１は、送信端末から送られてくる送信信号を受信して復調する。位相ジッタ測定手段１２は、モデム１１によって復調した受信信号における特定区間で位相ジッタを測定する。復調不安定有無判別手段１３は、位相ジッタ測定手段１２の測定した位相ジッタの値から前記した受信信号の復調が不安定であるか否かを判別する。位相同期手段１４は、前記した送信信号の一部として前記した特定区間の後でかつ画像データの送信される区間の前に前記した送信端末から送られてくる同期信号を用いて位相の同期をとる。同期信号長情報作成手段１５は、復調不安定有無判別手段１３が前記した受信信号の復調が不安定であると判別したか否かに応じて、異なる前記した同期信号の送出時間長を前記した送信端末に指示する同期信号長情報を作成する。同期信号長情報通知手段１６は、同期信号長情報作成手段１５が作成した同期信号長情報を前記した送信端末に通知する。
【００１６】
図２は、本発明のファクシミリ送信端末のクレーム対応図を示したものである。本発明のファクシミリ送信端末２０は、同期信号送出手段２１と、同期信号長情報受信手段２２および同期信号長設定手段２３を備えている。ここで、同期信号送出手段２１は、受信端末が受信信号の同期をとるための同期信号を画像データの送信直前に送出する。同期信号長情報受信手段２２は、前記した受信端末から前記した受信信号の位相ジッタの程度に応じて前記した同期信号の送出時間長を指示する同期信号長情報が送られてきたときこれを受信する。同期信号長設定手段２３は、同期信号長情報受信手段２２が前記した同期信号長情報を受信したとき、これによって指示された時間長に前記した同期信号の送出時間長を設定する。
【００１７】
図３は、本発明のファクシミリ通信方法のクレーム対応図を示したものである。本発明のファクシミリ通信方法３０は、復調ステップ３１と、位相ジッタ測定ステップ３２と、復調不安定有無判別ステップ３３と、位相同期ステップ３４と、同期信号長情報作成ステップ３５および同期信号長情報通知ステップ３６を備えている。ここで、復調ステップ３１では送信端末から送られてくる送信信号を受信して復調する。位相ジッタ測定ステップ３２では、復調ステップ３１で復調した受信信号における特定区間で位相ジッタを測定する。復調不安定有無判別ステップ３３では、位相ジッタ測定ステップ３２で測定した位相ジッタの値から前記した受信信号の復調が不安定であるか否かを判別する。位相同期ステップ３４では、前記した送信信号の一部として前記した特定区間の後でかつ画像データの送信される区間の前に前記した送信端末から送られてくる同期信号を用いて位相の同期をとる。同期信号長情報作成ステップ３５では、復調不安定有無判別ステップ３３で前記した受信信号の復調が不安定であると判別したか否かに応じて、異なる前記した同期信号の送出時間長を前記した送信端末に指示する同期信号長情報を作成する。同期信号長情報通知ステップ３６では、同期信号長情報作成ステップ３５で作成した同期信号長情報を前記した送信端末に通知する。
【００１８】
図４は、本発明のファクシミリ通信制御プログラムのクレーム対応図を示したものである。本発明のファクシミリ通信制御プログラム４０は、コンピュータに、復調処理４１と、位相ジッタ測定処理４２と、復調不安定有無判別処理４３と、位相同期処理４４と、同期信号長情報作成処理４５と、同期信号長情報通知処理４６とを実行させるようにしている。ここで、復調処理４１では、送信端末から送られてくる送信信号を受信して復調する。位相ジッタ測定処理４２では、復調処理４１で復調した受信信号における特定区間で位相ジッタを測定する。復調不安定有無判別処理４３では、位相ジッタ測定処理４２で測定した位相ジッタの値から前記した受信信号の復調が不安定であるか否かを判別する。位相同期処理４４では、前記した送信信号の一部として前記した特定区間の後でかつ画像データの送信される区間の前に前記した送信端末から送られてくる同期信号を用いて位相の同期をとる。同期信号長情報作成処理４５では、復調不安定有無判別処理４３で前記した受信信号の復調が不安定であると判別したか否かに応じて、異なる前記した同期信号の送出時間長を前記した送信端末に指示する同期信号長情報を作成する。同期信号長情報通知処理４６では、同期信号長情報作成処理４５で作成した同期信号長情報を前記した送信端末に通知する。
【００１９】
＜発明の実施の形態＞
【００２０】
次に本発明の実施の形態を説明する。
【００２１】
図５は、本発明の実施の形態によるファクシミリ通信システムの概要を表わしたものである。このファクシミリ通信システム１００は、画像データをファクシミリ通信技術の使用により送信するファクシミリ送信端末１０１と、このファクシミリ送信端末１０１の送信した信号を受信するファクシミリ受信端末１０２とを備えている。ファクシミリ送信端末１０１とファクシミリ受信端末１０２は、交換機１０３と公衆回線１０４を介して接続されている。
【００２２】
ここでファクシミリ送信端末１０１は、図示しない送信用の画像データが通信制御部１１１の制御の下にモデム１１２で変調される。変調後の画像データは網制御部１１３に送られて、ここから公衆回線１０４にファクシミリ信号として送出される。このファクシミリ信号は、公衆回線１０４内の交換機１０３によってファクシミリ受信端末１０２に向けて送出される。
【００２３】
ファクシミリ受信端末１０２は、網制御部１１６を介して受信されたファクシミリ信号をモデム１１７が復調する。通信制御部１１８はモデム１１７の通信制御を行う。モデム１１７によって復調された画像データは、図示しない記録紙にプリントアウトされることになる。
【００２４】
図６は、ファクシミリ送信端末の具体的な回路構成を表わしたものである。図６で図５と同一部分には同一の符号を付しており、これらの説明を適宜省略する。図５と共に説明する。
【００２５】
ファクシミリ送信端末１０１は、ＣＰＵ（Central Processing Unit）１２１と、ＲＯＭ（Read Only Memory）等のメモリ１２２からなる主制御部１２３を備えている。メモリ１２２には、所定の制御プログラムが格納されている。ＣＰＵ１２１はこの制御プログラムを実行することで、通信制御部１１１、モデム１１２、網制御部１１３の他に、読取部１２４、同期信号長情報受信部１２５および拡張同期信号送出部１２６を制御する。ＣＰＵ１２１は、前記した制御プログラムを実行することで、主制御部１２３の制御するこれら各部の少なくとも一部をソフトウェア的に実現可能である。
【００２６】
ここで、読取部１２４は、図示しない原稿の走査を行って画像データを作成するようになっている。同期信号長情報受信部１２５は、ファクシミリ受信端末１０２から後に説明する同期信号の信号長を指示する同期信号長情報が送られてきたとき、これを受信する。拡張同期信号送出部１２６は、同期信号長情報受信部１２５が同期信号長情報を受信してこれが同期信号の信号長を拡張するための拡張同期信号の送出を要求しているかを判別する。この結果、拡張同期信号送出部１２６は、拡張同期信号の送出が要求されていると判別したとき、拡張同期信号を作成して、通信制御部１１１の制御の下にこれをファクシミリ受信端末１０２に送出する。
【００２７】
図７は、ファクシミリ受信端末の具体的な回路構成を表わしたものである。図７で図５と同一部分には同一の符号を付しており、これらの説明を適宜省略する。図５と共に説明する。
【００２８】
ファクシミリ受信端末１０２は、ＣＰＵ１３１と、ＲＯＭ等のメモリ１３２からなる主制御部１３３を備えている。メモリ１３２には、所定の制御プログラムが格納されている。ＣＰＵ１３１はこの制御プログラムを実行することで、網制御部１１６、モデム１１７、通信制御部１１８の他に、プリント部１３４、位相ジッタ測定部１３５、伝送速度判別部１３６、復調不安定区間判別部１３７および同期信号長情報作成部１３８を制御する。ＣＰＵ１３１は、前記した制御プログラムを実行することで、主制御部１３３の制御するこれら各部の少なくとも一部をソフトウェア的に実現可能である。
【００２９】
ここでプリント部１３４は、受信したファクシミリ信号を基に再生した画像データを用いて、図示しない記録紙に文字や画像をプリントアウトする。位相ジッタ測定部１３５は、受信したファクシミリ信号における位相ジッタを測定する。位相ジッタの測定は、たとえばＶ．１７、Ｖ．２９、Ｖ．２７ｔｅｒで伝送するＴＣＦ（training check field）、画像データ伝送やＶ．３４のプライマリーチャンネルのときに行われる。Ｖ．１７、Ｖ．２９、Ｖ．２７ｔｅｒは、「グループ３」のファクシミリ通信の伝送手順を規定したＩＴＵ−Ｔ（international Telecommunication Union Telecommunication）勧告に依るものである。
【００３０】
このうち、Ｖ．１７は、１４４００ｂｐｓ（bits per second）と７２００ｂｐｓの通信速度を規定したファクシミリ２線式モデムに関するＩＴＵ−Ｔ勧告である。Ｖ．２９は、９６００ｂｐｓ〜４８００ｂｐｓの通信速度を規定した４線式専用線用の全二重モデムの変復調方式に関するＩＴＵ−Ｔ勧告である。Ｖ．２７ｔｅｒは、４８００ｂｐｓと２４００ｂｐｓの通信速度を規定した一般電話回線による全二重モデムと、４線式専用回線による同期全二重モデムに関するＩＴＵ−Ｔ勧告である。
【００３１】
伝送速度判別部１３６は、受信したファクシミリ信号の伝送速度を測定する。復調不安定区間判別部１３７は、位相ジッタ測定部１３５の測定した位相ジッタと伝送速度判別部１３６の判別した伝送速度を用いてファクシミリ信号の復調における不安定とされる区間である復調不安定区間が発生するかを判別する。復調不安定区間判別部１３７は、位相ジッタ値格納メモリ１３９を備えている。位相ジッタ値格納メモリ１３９は、復調不安定区間の発生の判別のためのしきい値としての位相ジッタ値と同期信号長情報を、モデム１１７の種類や通信環境に対応させた値として格納する不揮発性メモリである。同期信号長情報作成部１３８は、復調不安定区間判別部１３７が復調不安定区間であると判別したときに、通信制御部１１８の下でファクシミリ送信端末１０１に対して拡張同期信号送出要求を送出するようになっている。
【００３２】
図８は、本実施の形態のファクシミリ通信システムにおける通信の特徴を原理的に示したものである。図５、図６および図７と共に説明する。
【００３３】
本実施の形態のファクシミリ通信システム１００で、ファクシミリ送信端末１０１がファクシミリ信号としての高速信号をファクシミリ受信端末１０２に伝送したとする（ステップＳ２０１）。この場合、高速信号を受信したファクシミリ受信端末１０２は、同期信号の拡張に関する情報（以下、同期信号長情報という。）をファクシミリ送信端末１０１に返送する（ステップＳ２０２）。
【００３４】
このステップＳ２０２での処理を具体的に説明する。ファクシミリ受信端末１０２は、高速信号を受信しながら位相ジッタ測定部１３５で位相ジッタの程度を測定する。そして、復調不安定区間判別部１３７は得られた測定値を、現在の通信モードと伝送速度判別部１３６の判別した通信速度に対応する位相ジッタの許容値（しきい値）と比較して、復調不安定区間が発生し得るかを判別する。この結果、復調不安定区間判別部１３７が、復調不安定区間の発生の可能性があると判断した場合、同期信号長情報作成部１３８は同期信号の送出時間を長くした拡張同期信号を送出することの必要の有無を同期信号長情報として送信端末に通知する。
【００３５】
すなわちステップＳ２０２で送信する同期信号長情報は、ファクシミリ受信端末１０２からファクシミリ送信端末１０１に対して次の高速信号での同期信号の長さを拡張するか否かを示す信号となる。したがって、復調不安定区間判別部１３７が復調不安定区間の発生の可能性があると判断しなかった場合、同期信号長情報は、同期信号の送出時間を長くせず、基準となる長さ（後に説明する標準同期信号の信号長）で送出することを送信端末に指示する情報となる。
【００３６】
ファクシミリ送信端末１０１は、同期信号長情報受信部１２５でこの同期信号長情報を受信して、これが同期信号を長くする要求であるか否かを判別する。同期信号を長くする要求であると判別した場合、拡張同期信号送出部１２６は、拡張同期信号を画像データと共に送信する（ステップＳ２０３）。ここで拡張同期信号とは、通常の同期信号としての標準同期信号よりも時間的に長い同期信号である。この一方で、同期信号長情報受信部１２５が同期信号を長くする要求ではないと判別した場合、拡張同期信号送出部１２６は、ステップＳ２０３で標準同期信号を画像データと共に送信することになる。
【００３７】
このように本実施の形態では、ファクシミリ受信端末１０２が高速信号の伝送中に測定した位相ジッタ値を基にして復調不安定区間が発生する可能性があるかを判別する。そして、位相ジッタ値格納メモリ１３９の内容に対応して作成した同期信号長情報をファクシミリ送信端末１０１に送信することで、次に受信する画像データ伝送時の同期信号送出時間を調整する。この結果、ファクシミリ受信端末１０２は、高速信号受信時に発生する可能性のある復調不安定区間における画像データの受信に対処することができる。
【００３８】
図９は、一般的なファクシミリ伝送手順を示したものである。これは、ＩＴＵ−Ｔ  Ｔ．３０におけるファクシミリ伝送手順の中に本制御を追加した一例を示している。図５と共に説明する。  
【００３９】
ファクシミリ送信端末１０１がファクシミリ受信端末１０２とファクシミリ通信を行うとき、次の５つのフェーズを手順として実行する。フェーズＡは、呼設定の手順であり、フェーズＢは、呼設定の後に画像データの伝送に先立って行う手順である。フェーズＣは画像データの伝送を行う手順であり、フェーズＤは画像データの伝送が終了したことを確認する手順である。また、フェーズＥは呼の復旧（開放）の手順である。
【００４０】
最初のフェーズＡでファクシミリ送信端末１０１は、ファクシミリ受信端末１０２をダイヤルし、呼び出しを行う。ファクシミリ受信端末１０２が着信して回線が閉結すると、ファクシミリ送信端末１０１はＣＮＧ（calling signal）信号を送出して発信側が非音声端末であることを示す（ステップＳ２２１）。ＣＮＧ信号は１１００Ｈｚのトーンを０．５秒間送出し、３秒間の休止期間を置いて以上の繰り返しを行う信号である。
【００４１】
ファクシミリ受信端末１０２は、ＣＮＧ信号を受信すると、受信した側も非音声端末であることを示すＣＥＤ（called station identification）信号をファクシミリ送信端末１０１に返送する（ステップＳ２２２）。これで、双方の端末がファクシミリ端末であることが確認される。
【００４２】
次のフェーズＢでは、画像データが送信される前のプリメッセージ手順が実行される。まず、（ＮＳＦ（Non-Standard Facilities））（ＣＳＩ（Called Subscriber Identification））ＤＩＳ（Digital Identification Signal）信号がファクシミリ送信端末１０１からファクシミリ受信端末１０２に送信される（ステップＳ２２３）。これにより、ファクシミリ送信端末１０１の能力が提示される。これを基に、（ＴＳＩ（Transmitting Subscriber Id data））ＤＣＳ（Digital Command Signal）信号がファクシミリ受信端末１０２からファクシミリ送信端末１０１に返信され、送信方式が決定される（ステップＳ２２４）。
【００４３】
この後に画像データの送信のためのトレーニングが開始され、ファクシミリ送信端末１０１からＴＣＦ（Training Check Field）信号がファクシミリ受信端末１０２に送信される（ステップＳ２２５）。ファクシミリ受信端末１０２が正常に受信したことを確認するＣＦＲ（Confirmation to receive）信号を返送してトレーニングが終了すると（ステップＳ２２６）、フェーズＣに移行して画像データの伝送が開始される（ステップＳ２２７）。
【００４４】
このトレーニング期間の制御で、ファクシミリ受信端末１０２が受信に失敗した場合には、ＣＦＲ信号の代わりに図示しないＦＴＴ（failure to train）信号をファクシミリ送信端末１０１に返信することになる。ＦＴＴ信号を受信したファクシミリ送信端末１０１は、ＤＩＳ信号とＴＣＦ信号を再度送信することでトレーニングを繰り返す。このとき通信速度や通信方式が変更されてファクシミリ受信端末１０２が受信に成功するかを判別することになる。
【００４５】
フェーズＣに移行してブロック単位の画像データの伝送が終了すると、これを示すＰＰＳ（Partial Page Signal）・ＮＵＬＬ（空白）信号がファクシミリ送信端末１０１からファクシミリ受信端末１０２に送信される（ステップＳ２２８）。ここでＰＰＳ・ＮＵＬＬ信号に付加されている「（０．０）」信号は、最初のページの最初のブロックの画像データを伝送することを示している。ファクシミリ受信端末１０２は、ＰＰＳ・ＮＵＬＬ信号の受信に対してＭＣＦ（message confirmation）信号を画像データの受信確認と次のブロックの送信を可とするために返送する（ステップＳ２２９）。
【００４６】
ファクシミリ送信端末１０１はＭＣＦ信号を受信すると、画像データの次のブロックの伝送を行い（ステップＳ２３０）、これが終了するとＰＰＳ・ＭＰＳ（Multi Page Signal）信号を同様にファクシミリ受信端末１０２に送信する（ステップＳ２３１）。ここでＰＰＳ・ＭＰＳ信号に付加されている「（０．１）」信号は、最初のページの「０」から数えて２番目のブロックの画像データを伝送することを示している。
【００４７】
この後、ファクシミリ受信端末１０２がＭＣＦ信号を画像データの受信確認と次のブロックの送信を可とするために返送する（ステップＳ２３２）。以上の処理の繰り返しで画像データが順次伝送される（ステップＳ２３３〜ステップＳ２３６）。最後の画像データの送信が終了したら、ファクシミリ送信端末１０１は手順の終了を示すＰＰＳ・ＥＯＰ（End Of Page）信号をファクシミリ受信端末１０２に送信する（ステップＳ２３７）。ここでＰＰＳ・ＥＯＰ信号に付加されているこの例の場合の「（１．１）」信号は、２ページ目の２番目のブロックで画像データの送信が終了することを示している。このＰＰＳ・ＥＯＰ信号の送信に対してファクシミリ受信端末１０２からＭＣＦ信号が確認のために送られてきたら（ステップＳ２３８）、フェーズＥに移行する。
【００４８】
フェーズＥでは、ファクシミリ送信端末１０１がＤＣＮ（Disconnect）信号をファクシミリ受信端末１０２に送信して（ステップＳ２３９）、呼切断を通知する。これにより、回線が切断されて、ファクシミリ通信が終了する。
【００４９】
以上説明した手順について、本実施の形態では復調不安定区間判別部１３７の判別結果に応じて制御の変更を行っている。一番目の制御の変更は、ステップＳ２２５〜ステップＳ２２７に示した第１の制御区間１４１の処理内容である。二番目の制御の変更は、ステップＳ２３０〜ステップＳ２３３に示した第２の制御区間１４２の処理内容である。
【００５０】
図１０は、第１の制御区間の処理の変更内容を示したものである。図９に示した第１の制御区間１４１では、ステップＳ２２５でファクシミリ送信端末１０１からトレーニングのためのＴＣＦ信号がファクシミリ受信端末１０２に送信される。本実施の形態のファクシミリ受信端末１０２は、トレーニングの終了の際にＣＦＲ信号と共に同期信号長情報を送信する（ステップＳ２６１）。この同期信号長情報は、図８で説明したように同期信号の長さを拡張するか否かを示す信号である。
【００５１】
ファクシミリ送信端末１０１は、同期信号長情報を受信すると、その内容が同期信号の長さを拡張することを要求しているかどうかを判別する。そして、要求に応じた同期信号と画像データの伝送を行う（ステップＳ２６２）。具体的には、同期信号の長さを拡張することを要求していない場合には、ステップＳ２６２で標準同期信号と画像データの伝送が行われる。これに対して、同期信号の長さを拡張することを要求している場合には、ステップＳ２６２で拡張同期信号と画像データの伝送が行われる。
【００５２】
図１１は、第２の制御区間の処理の変更内容を示したものである。図９に示した第２の制御区間１４２では、ステップＳ２３０でファクシミリ送信端末１０１から画像データがファクシミリ受信端末１０２に送信される。この後、ファクシミリ送信端末１０１からファクシミリ受信端末１０２にマルチページの送信を示すＰＰＳ・ＭＰＳ信号が送信される。ここまでは図９に示した処理と同一である。
【００５３】
本実施の形態の場合、ＰＰＳ・ＭＰＳ信号を受信したファクシミリ受信端末１０２は、画像データの受信確認と次のブロックの送信を可とするために返送するＭＣＦ信号と共に、同期信号長情報を送信する（ステップＳ２７１）。ファクシミリ送信端末１０１は、同期信号長情報を受信すると、その内容が同期信号の長さを拡張することを要求しているかどうかを判別する。そして、要求に応じた同期信号と画像データの伝送を行う（ステップＳ２７２）。具体的には、同期信号の長さを拡張することを要求していない場合には、ステップＳ２７２で標準同期信号と画像データの伝送が行われる（後の図１３参照）。これに対して、同期信号の長さを拡張することを要求している場合には、ステップＳ２７２で拡張同期信号と画像データの伝送が行われることになる（後の図１４参照）。
【００５４】
図１２は、ファクシミリ受信端末における同期信号長情報の作成および送信処理の様子を表わしたものである。図５および図７と共に説明する。
【００５５】
ファクシミリ受信端末１０２の通信制御部１１８はＴＣＦ信号がファクシミリ受信端末１０２に受信されるタイミング（ステップＳ２８１）と、ＭＣＦ信号送信後の画像データの受信タイミング（ステップＳ２８２）の発生を監視している。前者は、ファクシミリ送信端末１０１から図９および図１０のステップＳ２２５で示したようにＴＣＦ信号が受信されるタイミングの監視である。後者は、図９および図１１のステップＳ２３０に示した画像データが受信されるタイミングの監視である。
【００５６】
これらのいずれかについてのタイミングが到来すると（ステップＳ２８１：Ｙ、ステップＳ２８１：ＮかつステップＳ２８２：Ｙ）、位相ジッタ測定部１３５が位相ジッタを測定する（ステップＳ２８３）。復調不安定区間判別部１３７は、位相ジッタ測定部１３５の測定した位相ジッタ値と、位相ジッタ値格納メモリ１３９に格納された、そのときの通信環境に対応したしきい値としての位相ジッタ値を比較する。そして、位相ジッタ値がしきい値よりも大きくなっているか否かで画像データの復調が不安定になるかどうかを判別する（ステップＳ２８４）。
【００５７】
位相ジッタが、そのときの通信環境に対応したしきい値よりも大きい場合には、画像データの復調が不安定となる可能性が大きい。そこでこの場合（ステップＳ２８４：Ｙ）、同期信号長情報作成部１３８は、画像データフレームに拡張同期信号を付加して送信することを指示する同期信号長情報を作成する（ステップＳ２８５）。このときの拡張同期信号の長さは、位相ジッタ測定部１３５の測定した位相ジッタと、伝送速度判別部１３６の判別した伝送速度を用いて、ファクシミリ信号の復調における不安定とされる復調不安定区間との関係で定める。もちろん、位相ジッタ値格納メモリ１３９の格納内容によっては、拡張同期信号の長さは、標準的な同期信号の長さよりも長い１種類の固定値としてもよい。
【００５８】
一方、位相ジッタがしきい値以下の場合（ステップＳ２８４：Ｎ）、同期信号長情報作成部１３８は、画像データフレームに標準同期信号を付加して送信することを指示する同期信号長情報を作成することになる（ステップＳ２８６）。
【００５９】
以上のようにして作成された同期信号長情報は、通信制御部１１８の制御の下でファクシミリ送信端末１０１に送信され（ステップＳ２８７）、図１２に示す処理が終了する（エンド）。ここで、ステップＳ２８７の処理は、図１０に示す第１の制御区間１４１におけるステップＳ２６１の処理あるいは図１１に示す第２の制御区間１４２におけるステップＳ２７１の処理の処理となる。
【００６０】
図１３および図１４は、同期信号長情報を受信するファクシミリ送信端末が画像データを送信するときの信号形態を示したものである。このうち、図１３は図１２のステップＳ２８６で標準同期信号の付加が指示された場合であり、図１４は図１２のステップＳ２８５で拡張同期信号の付加が指示された場合である。図５と共に説明する。
【００６１】
図１３に示した信号形態では、モデムトレーニング信号１５１の後に標準的な時間長で同期をとる標準同期信号１５２がファクシミリ受信端末１０２に送信される。この後に画像データフレーム１５３がファクシミリ送信端末１０１から１フレームずつファクシミリ受信端末１０２に送信される信号形態となる。
【００６２】
これに対して、図１４に示した信号形態では、モデムトレーニング信号１５１の後に標準同期信号１５２よりも信号長が長い拡張同期信号１６１がファクシミリ送信端末１０１から送出される。この後に画像データフレーム１５３がファクシミリ送信端末１０１から１フレームずつファクシミリ受信端末１０２に送信される。このように位相ジッタが大きいときには、拡張同期信号１６１によって、必要なモデムの収束時間を確保することができる。
【００６３】
一般に位相ジッタが大きいときでも、画像データフレーム１５３の通信開始までにモデムが位相を収束させた場合には、画像データフレーム１５３の伝送途中に位相が狂うという事態が発生することはない。したがって、モデムトレーニング時の測定により得られた位相ジッタ値が、通信環境に対応するしきい値よりも大きいときには、図１４に示す信号形態で通信することで信号受信開始時の復調不安定区間での画像データの受信エラーを回避することができる。
【００６４】
しかも本実施の形態では、図７に示す位相ジッタ値格納メモリ１３９内にモデム１１７の通信環境に応じたしきい値としての位相ジッタ値を格納している。一般に、モデムの種類あるいは特性が異なれば、位相ジッタ値と復調不安定区間の関係が異なってくる。また、しきい値としての位相ジッタ値は、通信速度や通信モードによっても異なる。本実施の形態では、通信モードや通信速度における復調不安定区間に発生する位相ジッタ値をモデム１１７に対応させて測定しておき、これらを位相ジッタ値として格納している。そして、モデム１１７がその時々の位相ジッタを収束させるのに適する同期信号の長さを、同期信号長情報によってファクシミリ送信端末１０１に通知する。これにより、たとえばファクシミリ受信端末１０２がＶ．１７の１４４００ｂｐｓで通信するときに、位相ジッタが６ｄｅｇｒｅｅ（度）を超える値の場合には、拡張同期信号１６１の信号長を１０００ｍｓ（ミリ秒）とするような設定が可能になる。このような設定で、画像データの通信に関してエラーフレームの発生を防止し、再送を不要とすることができる。
【００６５】
以上説明したように本実施の形態のファクシミリ通信システム１００では、ＴＣＦ信号の受信時に測定した位相ジッタを基に、画像データ伝送時の同期信号の時間を調整している。これにより、ＴＣＦ信号の受信時には正常に信号「０」を受信できたその後に画像データの伝送で復調不安定区間が発生した場合でも、エラーなく通信が可能になる。
【００６６】
また、本実施の形態では画像データの伝送が一度開始した後にも、改ページ等の所定タイミングで位相ジッタの値を測定するようにしている。これにより、ＴＣＦ信号の受信時と回線の状況が変化したときや、ＴＣＦ信号の受信期間では時間が短くて確認しきれなかった位相ジッタが存在した場合でも、同期信号の送出時間長を調整することができる。ここで回線の状況とは、たとえば伝送される信号の波形の歪みや、周波数オフセット、信号対雑音比（Ｓ／Ｎ）、位相ジッタの状態をいう。同期信号時間を必要に応じて増加することで、復調不安定区間が存在する場合にも、位相ジッタをなくし、あるいは軽減させ、復調不安定区間の発生を解消させて、エラーフレームの発生のない通信が可能になる。
【００６７】
ところで従来では、回線状態が悪いとき、Ｖ．３４のプライマリーチャンネルや高速信号（Ｖ．１７,Ｖ．２９,Ｖ．２７ｔｅｒ）で画像データを送信するとき、ファクシミリ受信端末で復調に時間が掛かるという問題があった。またエラーコレクションモード（ＥＣＭ）を採用する場合には再送が増えることで通信時間が長くなるという問題があった。復調不安定区間は、位相ジッタがある値を過ぎるとその発生確率が大きくなることが分かっている。この復調不安定区間は、毎回の通信で必ず発生するものではなく、伝送方式や伝送速度が同じであるときでも、様々な原因が影響する。この一方で、位相ジッタに関しては、初めにモデムの収束性が悪くなることはあっても、収束後にモデムの収束性がその後の画像データの伝送時に悪くなるということは一般にあり得ない。本実施の形態ではこの経験的な事実に着目している。すなわち、ファクシミリ送信端末からの同期信号の送出時間を必要により長くしてモデムの収束を画像データの送信前に行えば、回線状況が途中で変動しても通常の画像データの伝送区間で位相が大きく狂うことはない。この事実を基にして同期信号の伝送時間を必要に応じて増加した結果、本実施の形態では画像データの再送回数を大幅に減少させることができる。また、通信速度を過度に低下させる必要もないので、ファクシミリ通信に要する時間を十分短縮することができる。
【００６８】
なお、以上説明した実施の形態では、図１１のステップＳ２７１でファクシミリ受信端末１０２はＭＣＦ信号と同期信号長情報を送信することにしているが、これに限るものではない。たとえばＭＣＦ信号の代わりにＰＰＲ（post page response message）信号による応答となる場合がある。また、図１１ではＶ．１７、Ｖ．２９およびＶ．２７ｔｅｒにおける伝送手順を示している。Ｖ．３４の場合にも、プライマリーチャネル中に位相ジッタを測定し、コントロールチャネルに戻ったときにＭＣＦ信号と同期信号長情報を送信することができる。これにより、たとえば画像データの再送や、画像データの伝送に次ページがある場合でプライマリーチャネルを再び伝送するときに拡張同期信号１６１を用いて、同期信号を長くする制御を行うことができる。
【００６９】
また、実施の形態では位相ジッタの測定や同期信号長情報の通知が繰り返されるタイミングについて特に説明しなかったが、各種の態様が可能である。すなわち、画像データの改ページや再送が行われるたびといったように、画像データの伝送についてある程度の区切りを置いて、このような測定やファクシミリ送信端末１０１に対する通知が行われることは有効である。また、前回の位相ジッタの測定結果に応じてこのような測定や通知が行われるタイミングの頻度を変えることも有効である。
【符号の説明】
【００７０】
１０、１０２  ファクシミリ受信端末
１１、１１７  モデム
１２  位相ジッタ測定手段
１３  復調不安定有無判別手段
１４  位相同期手段
１５  同期信号長情報作成手段
１６  同期信号長情報通知手段
２０、１０１  ファクシミリ送信端末
２１  同期信号送出手段
２２  同期信号長情報受信手段
２３  同期信号長設定手段
３０  ファクシミリ通信方法
３１  復調ステップ
３２  位相ジッタ測定ステップ
３３  復調不安定有無判別ステップ
３４  位相同期ステップ
３５  同期信号長情報作成ステップ
３６  同期信号長情報通知ステップ
４０  ファクシミリ通信制御プログラム
４１  復調処理
４２  位相ジッタ測定処理
４３  復調不安定有無判別処理
４４  位相同期処理
４５  同期信号長情報作成処理
４６  同期信号長情報通知処理
１００  ファクシミリ通信システム
１２１、１３１  ＣＰＵ
１２２、１３２  メモリ
１２５  同期信号長情報受信部
１２６  拡張同期信号送出部
１３５  位相ジッタ測定部
１３６  伝送速度判別部
１３７  復調不安定区間判別部
１３８  同期信号長情報作成部
１３９  位相ジッタ値格納メモリ
１５１  モデムトレーニング信号
１５２  標準同期信号
１５３  画像データフレーム
１６１  拡張同期信号
【図１】
2010232768.tif 000003
【図２】
2010232768.tif 000004
【図３】
2010232768.tif 000005
【図４】
2010232768.tif 000006
【図５】
2010232768.tif 000007
【図６】
2010232768.tif 000008
【図７】
2010232768.tif 000009
【図８】
2010232768.tif 000010
【図９】
2010232768.tif 000011
【図１０】
2010232768.tif 000012
【図１１】
2010232768.tif 000013
【図１２】
2010232768.tif 000014
【図１３】
2010232768.tif 000015
【図１４】
2010232768.tif 000016